(57)【特許請求の範囲】
【請求項１】
垂直同期信号を受けＩＣ内部において任意に設定可能なレジスタを有する演算回路と、垂直同期信号を所定の水平周波数でカウントアップした入力信号を受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出することを特徴とする垂直偏向処理装置。
【請求項２】
垂直同期信号を受けＩＩＣバスコントロールにより任意に設定可能な垂直出力振幅調整用レジスタ，垂直位置調整用レジスタおよびＳ字補正調整用レジスタを有する演算回路と、垂直同期信号を２倍の水平周波数でカウントアップするカウンタと、前記カウンタの出力信号を入力信号として受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出することを特徴とする垂直偏向処理装置。
【請求項３】
前記演算回路に直線性補正用レジスタを設けたことを特徴とする請求項１または請求項２に記載の垂直偏向処理装置。
【発明の詳細な説明】
【０００１】
【発明の属する技術分野】
この発明は、テレビジョン受像機内に用いられる垂直偏向処理装置に関するものである。
【０００２】
【従来の技術】
従来、垂直偏向にはアナログ技術による充放電回路によって得られるランプ波形を使用していた。
図４に、従来技術による垂直変更処理の回路例を示す。
これは、精度の高い抵抗と大容量のコンデンサを用いた積分回路によって構成されている。
【０００３】
垂直同期パルスが入力されるとＮＰＮトランジスタＴＲ１がオンし、コンデンサＣ１が放電を開始する。
ＮＰＮトランジスタＴＲ１がオフするとコンデンサＣ１が抵抗Ｒ１を通じて充電され始め、差動増幅器Ａ１の非反転入力端子の電圧は徐々に上昇しＩＣ出力端子Ｐ１の出力電圧を上昇する。
上昇した非反転入力端子の電圧は、次の垂直同期パルスによりＮＰＮトランジスタＴＲ１がオンすると、充電開始時の電圧に下降して戻る。
これを繰り返すことにより、ＩＣ出力端子Ｐ１は垂直同期パルスに同期したランプ波形となる。
また、このランプ波形の斜辺の直線性を得るために直線性補正回路が挿入され、ＩＣ入力端子Ｐ２を介して差動増幅器Ａ１の非反転入力端子へフィードバックをかけている。
【０００４】
従来のアナログ技術による垂直偏向回路は前述のように構成されているが、垂直同期の周波数が低いために、大容量のコンデンサを必要とし、ＩＣへの内蔵が困難であった。
また、直線性補正をするために精度の高い抵抗及び差動増幅器へのフィードバック電圧入力端子が必要であり、少なくとも２端子必要であった。
【０００５】
【発明が解決しようとする課題】
この発明は、前述のような問題点を解決するためになされたものであり、大容量コンデンサおよび高精度抵抗を用いずに安定した任意な垂直出力を簡易に提供できる垂直偏向処理装置を得ようとするものである。
【０００６】
【課題を解決するための手段】
第１の発明に係る垂直偏向処理装置では、垂直同期信号を受けＩＣ内部において任意に設定可能なレジスタを有する演算回路と、垂直同期信号を所定の水平周波数でカウントアップした入力信号を受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出するようにしたものである。
【０００７】
第２の発明に係る垂直偏向処理装置では、垂直同期信号を受けＩＩＣバスコントロールにより任意に設定可能な垂直出力振幅調整用レジスタ，垂直位置調整用レジスタおよびＳ字補正調整用レジスタを有する演算回路と、垂直同期信号を２倍の水平周波数でカウントアップするカウンタと、前記カウンタの出力信号を入力信号として受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出するようにしたものである。
【０００８】
第３の発明に係る垂直偏向処理装置では、前記演算回路に直線性補正用レジスタを設けたものである。
【０００９】
【発明の実施の形態】
実施の形態１．
この発明による実施の形態１を、図１ないし図３について説明する。
図１に、この発明における垂直偏向回路構成を示す。
図において、１は演算回路であり、ＩＩＣバスコントロールにより、任意の演算を行う。２は垂直同期信号を入力とし、２倍の水平周波数にてカウントアップするカウンタである。
３は高レベル側基準電圧生成用Ｄ／Ａコンバータ、４は低レベル側基準電圧生成用Ｄ／Ａコンバータ、５はカウンタ２からの出力データを最終垂直出力へと変換するＤ／Ａコンバータ、６は垂直波形を出力するＩＣ端子である。
演算回路１，カウンタ２およびＤ／Ａコンバータ３，４，５は、それぞれＩＣ内部に設けられている。
【００１０】
演算回路１は、高レベル側基準電圧生成用Ｄ／Ａコンバータ３および低レベル側基準電圧生成用Ｄ／Ａコンバータ４のコントロールを行う。
また、高レベル側基準電圧生成用Ｄ／Ａコンバータ３はＤ／Ａコンバータ５の高レベル側基準電圧を生成し、低レベル側基準電圧生成用Ｄ／Ａコンバータ４はＤ／Ａコンバータ５の低レベル側基準電圧を生成する。
【００１１】
演算回路１は、ＩＣバスコントロールにて任意に設定可能なレジスタＲＡＭＰ（垂直出力振幅調整），ＰＯＳＩ（垂直位置調整），ＳＣＯＲＥ（Ｓ字補正調整）を持ち、その演算は次式により行われる。
Ｒ１n ＝Ｒ１n −１＋６４  （Ｒ１1 ＝ｃｏｎｓｔａｎｔ：ＮＴＳＣの場合−１６３８４）
Ｒ２n ＝Ｒ２n-1 −１＋Ｒ１n ／１２８  （Ｒ２1 ＝ｃｏｎｓｔａｎｔ：ＮＴＳＣの場合  １６３８４）
Ｖ１n ＝ＲＡＭＰ＋ＰＯＳＩ＋６４＋ＳＣＯＲＥ×（Ｒ２1 −Ｒ２n ）／６４／５１２
Ｖ２n ＝ＰＯＳＩ−ＲＡＭＰ＋１２８−ＳＣＯＲＥ×（Ｒ２1 −Ｒ２n ）／６４／５１２
【００１２】
得られた演算結果Ｖ１，Ｖ２データは、それぞれＤ／Ａコンバータ３，４に入力され、Ｄ／Ａコンバータ５の基準電圧となる、電圧信号Ｖｒｔｏ，Ｖｒｂｏを生成する。
カウンタ２は垂直同期信号をリセット信号として２ｆＨレートでカウントアップし、その出力は最終垂直出力を出力するＤ／Ａコンバータ５に入力される。
すなわち、Ｄ／Ａコンバータ５に入力されるデジタルデータは、０，２，４，６…５１０あるいは１，３，５，７…５１１（ＮＴＳＣの場合）の２ＬＳＢ毎となる。
この偶数データ，奇数データを繰り返すことによりインターレースを実現している（図２）。
【００１３】
図３に、この発明における３つのＤ／Ａコンバータ３，４，５のそれぞれの出力イメージを示す。
ここで、Ｄ／Ａコンバータ３，４の基準電圧Ｖｒｔ１，Ｖｒｂ１，Ｖｒｔ２，Ｖｒｂ２には、任意のＤＣレベルを与える。
Ｄ／Ａコンバータ５は、カウンタにより単純にインクリメントされたデータと基準電圧Ｔ，ＢをＤＣから任意波形に変化させることにより、最終出力を単純ランプ波形からＳ字補正された波形へと変形させることができる。
【００１４】
以上のように、この発明によれば、ＩＣへの内蔵化が困難である大容量のコンデンサおよび高精度の抵抗を用いることなく、垂直偏向出力を提供することができる。
【００１５】
刊行物による先行技術としては、特開平８−８４２６９号公報があるが、この先行技術では、その演算結果をＤ／Ａコンバータで出力しているものである。その演算回路は複雑であり、かつ使用されるＤ／Ａコンバータも高分解能であるものが必要である。
これに対し、この発明のものでは、３つのＤ／Ａコンバータ３，４，５にそれぞれ演算結果を与えるものであり、演算回路１の簡素化が可能であり、なおかつ使用されるＤ／Ａコンバータも高分解能であるものを必要としない点で、上述した先行技術と明確に相違している。
【００１６】
この発明による実施の形態１によれば、垂直同期信号を受けＩＩＣバスコントロールにより任意に設定可能な垂直出力振幅調整用レジスタ，垂直位置調整用レジスタおよびＳ字補正調整用レジスタを有する演算回路１と、垂直同期信号を２倍の水平周波数でカウントアップするカウンタ２と、カウンタ２の出力信号を入力信号として受けその出力部を垂直出力端子６に接続した第１の乗算型Ｄ／Ａコンバータ５と、演算回路１の第１の出力Ｖ１を入力として受け、その出力を前記第１の乗算型Ｄ／Ａコンバータ５の第１の基準電圧Ｖｒｔ０として供給する第２の乗算型Ｄ／Ａコンバータ３と、演算回路１の第２の出力Ｖ２を入力として受け、その出力を第１の乗算型Ｄ／Ａコンバータ５の第２の基準電圧Ｖｒｂ０として供給する第２の乗算型Ｄ／Ａコンバータ４とを備え、第１の乗算型Ｄ／Ａコンバータ５の出力を垂直出力として導出するようにしたので、大容量コンデンサおよび高精度抵抗を用いずに安定した任意な垂直出力を簡易に提供できる垂直偏向処理装置を得ることができる。
【００１７】
実施の形態２．
実施の形態２を実施の形態と同様の図面について説明する。
実施の形態１の演算回路１に直線性補正用レジスタＬＩＮＩを追加する。その他の構成および動作は実施の形態１のものと同様である。
演算式は次式の通りである。
Ｒ１n ＝Ｒ１n-1 −１＋６４
Ｒ２n ＝Ｒ２n-1 −１＋Ｒ１n ／１２８
Ｖ１n ＝ＲＡＭＰ＋ＰＯＳＩ＋６４＋｛ＳＣＯＲＥ×（Ｒ２1 −Ｒ２n ）／６４＋（ＬＩＮＩ−３２）×Ｒ１n ／６４｝／５１２
Ｖ２n ＝ＰＯＳＩ−ＲＡＭＰ＋１２８−｛ＳＣＯＲＥ×（Ｒ２1 −Ｒ２n ）／６４＋（ＬＩＮＩ−３２）×Ｒ１n ／６４｝／５１２
【００１８】
この実施の形態２では、ブラウン管からのフィードバック電圧入力を入力することなく１端子のみにて直線性補正された安定した垂直出力を提供することができる。
【００１９】
この発明による実施の形態２によれば、演算回路１に直線性補正用レジスタを設けたので、負荷からのフィードバック電圧入力を入力することなく簡易に直線性補正された安定した垂直出力を提供できる垂直偏向処理装置を得ることができる。
【００２０】
【発明の効果】
第１の発明によれば、垂直同期信号を受けＩＣ内部において任意に設定可能なレジスタを有する演算回路と、垂直同期信号を所定の水平周波数でカウントアップした入力信号を受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出するようにしたので、大容量コンデンサおよび高精度抵抗を用いずに安定した任意な垂直出力を簡易に提供できる垂直偏向処理装置を得ることができる。
【００２１】
第２の発明によれば、垂直同期信号を受けＩＩＣバスコントロールにより任意に設定可能な垂直出力振幅調整用レジスタ，垂直位置調整用レジスタおよびＳ字補正調整用レジスタを有する演算回路と、垂直同期信号を２倍の水平周波数でカウントアップするカウンタと、前記カウンタの出力信号を入力信号として受けその出力部を垂直出力端子に接続した第１の乗算型Ｄ／Ａコンバータと、前記演算回路の第１の出力を入力として受け、その出力を前記第１の乗算型Ｄ／Ａコンバータの第１の基準電圧として供給する第２の乗算型Ｄ／Ａコンバータと、前記演算回路の第２の出力を入力として受け、その出力を前記第１の乗算型Ｄ／Ａコンバータの第２の基準電圧として供給する第２の乗算型Ｄ／Ａコンバータとを備え、前記第１の乗算型Ｄ／Ａコンバータの出力を垂直出力として導出するようにしたので、大容量コンデンサおよび高精度抵抗を用いずに安定した任意な垂直出力を簡易に提供できる垂直偏向処理装置を得ることができる。
【００２２】
第３の発明によれば、前記演算回路に直線性補正用レジスタを設けたので、負荷からのフィードバック電圧入力を入力することなく簡易に直線性補正された安定した垂直出力を提供できる垂直偏向処理装置を得ることができる。
【図面の簡単な説明】
【図１】  この発明による実施の形態における構成を示すブロック図。
【図２】  この発明による実施の形態における垂直出力と画面上の表示の関係図。
【図３】  この発明による実施の形態における３つのＤ／Ａコンバータの出力イメージ図。
【図４】  従来技術における回路構成例を示す接続図。
【符号の説明】
１  演算回路、２  カウンタ、３，４，５  Ｄ／Ａコンバータ、６  ＩＣ出力端子。
【図１】
0004400978.tif 000002
【図２】
0004400978.tif 000003
【図３】
0004400978.tif 000004
【図４】
0004400978.tif 000005